(57)【特許請求の範囲】
【請求項１】
所定数の送波用振動子が直線状に単数列又は複数列配列されて構成されている送波器と、
所定数の受波用振動子が直線状に単数列又は複数列配列されて構成されている受波器とを有し、
前記送波器と前記受波器とが互いに直交するように配置されていると共に、前記送波器と前記受波器との交差箇所が、送波受波複合器として構成されているクロスファンビーム方式の音波測定センサであって、
各送波用振動子が前記送波器の長手方向に全体として不欠落となる態様で配列されているものの、前記送波用振動子の各列は、前記受波器との交差箇所にて途切れる態様で配列され、かつ、各受波用振動子が前記受波器の長手方向に全体として不欠落となる態様で配列されているものの、前記受波用振動子の各列は、前記送波器との交差箇所にて途切れる態様で配列されていることを特徴とする音波測定センサ。
【請求項２】
前記送波受波複合器は、
当該送波用振動子と当該受波用振動子とが互い違いにマトリクス状に配列されて構成されていることを特徴とする請求項１記載の音波測定センサ。
【請求項３】
前記送波受波複合器は、
当該送波用振動子と当該受波用振動子とが市松パターン状に配列されて構成されていることを特徴とする請求項１記載の音波測定センサ。
【請求項４】
前記送波受波複合器は、
前記送波器を構成する前記送波用振動子の列数及び前記受波器を構成する前記受波用振動子の列数に対応して前記マトリクスが構成されていることを特徴とする請求項２記載の音波測定センサ。
【請求項５】
前記送波受波複合器は、
前記送波器を構成する前記送波用振動子の列数及び前記受波器を構成する前記受波用振動子の列数に対して無対応に前記マトリクスが構成されていることを特徴とする請求項２記載の音波測定センサ。
【発明の詳細な説明】
【技術分野】
【０００１】
この発明は、音波測定センサに係り、特に、送波器と受波器とが互いに直交するように配置されているクロスファンビーム方式に適用して好適な音波測定センサに関する。
【背景技術】
【０００２】
音波測定センサでは、省スペース化などの理由により、送波器と受波器とが互いに直交するように配置されているクロスファンビーム方式のものが製作されている。
【０００３】
この種の音波測定センサは、たとえば図７に示すように、送波器１，１と、受波器２，２と、送受波兼用器３とから構成されている。送波器１，１は、所定数の送波用振動子１ｓが直線状に２列配列されて構成されている。受波器２，２は、所定数の受波用振動子２ｒが直線状に２列配列されて構成されている。送受波兼用器３は、送波器１，１と受波器２との交差箇所にある。この音波測定センサでは、送波器１，１の送波用振動子１ｓから受波器２，２側にノイズが回り込むことがあるという問題点がある。このため、送受波兼用器３に代えて、送波専用器又は受波専用器のみが配置されているものもある。
【０００４】
この場合、たとえば図８に示すように、送受波兼用器３に代えて、受波専用器３Ａが設けられている場合、送波器１，１の中心部の振動子が抜けることになり、送波ビームの垂直面の指向性では、たとえば図９に示すように、サイドローブが発生するという課題がある。送波器１，１の中心部の振動子が存在する場合に対して、抜けた場合の指向性は、たとえば図１０に示すように、サイドローブが数ｄＢ大きい。また、そのサイドローブを抑制する場合、シェーディングを施すことで対策することが有効な手段として一般的であるが、中心部の振動子が欠落しているために、図１１に示すように、シェーディングの有無にかかわらず、サイドローブが発生し、同シェーディングの効果が十分に得られないという課題がある。
【０００５】
上記の音波測定センサの他、この種の関連技術としては、たとえば、特許文献１に記載された水中画像ソーナがある。
この水中画像ソーナでは、送波器は、周波数帯が割り当てられた水平／垂直の各１列からなるクロスファンビーム方式で構成されている。送信制御部は、送波音の送信ビーム方向をマトリクス状に走査させると共に、走査に同期して送波音の周波数を漸次連続的に制御する。受波器は、周波数帯の異なる２つの無指向性受波器で構成されている。乗算機は、各周波数帯別の信号を乗算する。帯域制限器は、乗算器の出力の高域信号を出力する。ＦＦＴ（Fast Fourier Transform）は、帯域制限器の出力より周波数成分を分別する。目標検出部は、受信信号のレベルに応じて、色もしくは濃淡情報に変換し、分別された各周波数成分に対応する送信ビーム方向を基に画像を生成する。
【０００６】
また、特許文献２に記載された超音波プローブでは、所定の曲率半径で湾曲されたパッキング材の表面に、アレイ状に配列された第１及び第２の振動子群が、両者が交差する如く配置され、両者の交差する部分が、振動子がマトリクス状に配列してなる第３の振動子群とされると共に、各振動子群が選択的に励振され、超音波の送受波が行われる。
【０００７】
また、特許文献３に記載された水中画像ソーナでは、送波装置と受波装置とからなり、送波装置には複数の送波器が備えられ、受波装置には複数の受波器が備えられている。これらの送波器や受波器は、クロスアレイで構成されている。このクロスアレイでは、縦列をなす複数の送波アレイと、横列をなす複数の受波アレイとが互いに直交されている。また、送波アレイと受波アレイとが互いにクロスする箇所は、送受波兼用アレイとなる。
【先行技術文献】
【特許文献】
【０００８】
【特許文献１】特開２００６−０６４５２４号公報
【特許文献２】特開昭６２−２２７３２７号公報
【特許文献３】特開平０８−００５７２８号公報
【発明の概要】
【発明が解決しようとする課題】
【０００９】
しかしながら、上記関連技術では、次のような課題があった。
すなわち、特許文献１に記載された水中画像ソーナは、受波した周波数の組をマトリクス状にデマッピングし、受信ビーム方向とすることにより、データ処理量が削減されるものであるが、受波器が、２つの無指向性受波器で構成されているなど、この発明とは構成が異なり、上記の問題点を改善するものではない。
【００１０】
特許文献２に記載された超音波プローブでは、第３の振動子群は、振動子がマトリクス状に配列されている。このマトリクス状に対しては、構成や効果について明確な記載が見られないため、上記の問題点を改善するものではない。
【００１１】
特許文献３に記載された水中画像ソーナでは、送波アレイと受波アレイとが互いにクロスする箇所が送受波兼用アレイとなっているため、この発明とは構成が異なり、上記の問題点を改善するものではない。
【００１２】
この発明は、上述の事情に鑑みてなされたもので、サイドローブが低減されるクロスファンビーム方式の音波測定センサを提供することを目的としている。
【課題を解決するための手段】
【００１３】
上記課題を解決するために、この発明の構成は、所定数の送波用振動子が直線状に単数列又は複数列配列されて構成されている送波器と、所定数の受波用振動子が直線状に単数列又は複数列配列されて構成されている受波器とを有し、前記送波器と前記受波器とが互いに直交するように配置されていると共に、前記送波器と前記受波器との交差箇所が、送波受波複合器として構成されているクロスファンビーム方式の音波測定センサに係り、各送波用振動子が前記送波器の長手方向に全体として不欠落となる態様で配列されているものの、前記送波用振動子の各列は、前記受波器との交差箇所にて途切れる態様で配列され、かつ、各受波用振動子が前記受波器の長手方向に全体として不欠落となる態様で配列されているものの、前記受波用振動子の各列は、前記送波器との交差箇所にて途切れる態様で配列されていることを特徴としている。
【発明の効果】
【００１４】
この発明の構成によれば、クロスファンビーム方式の音波測定センサの指向特性のサイドローブを低減することができる。
【図面の簡単な説明】
【００１５】
【図１】この発明の第１の実施形態である音波測定センサの要部の構成を示す模式図である。
【図２】図１の音波測定センサ、及び交差箇所に振動子がない場合の指向性を示す図である。
【図３】シェーディングを施した場合の指向性を示す図である。
【図４】シェーディングを施した場合でビームシフト時の指向性を示す図である。
【図５】この発明の第２の実施形態である音波測定センサの要部の構成を示す模式図である。
【図６】この発明の第３の実施形態である音波測定センサの要部の構成を示す模式図である。
【図７】音波測定センサの構成図である。
【図８】他の音波測定センサの構成図である。
【図９】送波ビームの垂直面の指向性を示す図である。
【図１０】振動子が存在する場合、及び抜けた場合の指向性を示す図である。
【図１１】シェーディングを施した場合の指向性を示す図である。
【発明を実施するための形態】
【００１６】
上記送波受波複合器は、当該送波用振動子と当該受波用振動子とが互い違いにマトリクス状に配列されて構成されている音波測定センサを実現する。
【００１７】
また、上記送波受波複合器は、当該送波用振動子と当該受波用振動子とが市松パターン状に配列されて構成されている。また、上記送波受波複合器は、上記送波器を構成する上記送波用振動子の列数及び上記受波器を構成する上記受波用振動子の列数に対応して上記マトリクスが構成されている。また、上記送波受波複合器は、上記送波器を構成する上記送波用振動子の列数及び上記受波器を構成する上記受波用振動子の列数に対して無対応に上記マトリクスが構成されている。
【実施形態１】
【００１８】
図１は、この発明の第１の実施形態である音波測定センサの要部の構成を示す模式図である。
この形態の音波測定センサは、同図に示すように、図７中と同様の送波器１，１と、受波器２，２とを有し、これらが互いに直交するように配置されたクロスファンビーム方式で構成されている。横方向に配置されている送波器１，１は、各送波用振動子１ｓに所定の駆動信号が与えられることにより、縦方向に送波ビームを形成して送波する。また、縦方向に配置されている受波器２，２は、各受波用振動子２ｒに所定の駆動信号が与えられることにより、横方向に受波ビームを形成して、送波器１，１の送波ビームが目標物に到達して反射したときの反射波を受波する。これにより、音響データが得られる。
【００１９】
特に、この実施形態では、送波器１，１と受波器２，２との交差箇所は、送波受波複合器３Ｂとして構成されている。送波受波複合器３Ｂは、各送波用振動子１ｓが送波器１，１の長手方向に不欠落（すなわち、振動子間の距離が開かない）となるように配列され、かつ、各受波用振動子２ｒが受波器２，２の長手方向に不欠落（すなわち、振動子間の距離が開かない）となるように配列されて構成されている。また、この実施形態では、送波受波複合器３Ｂは、送波用振動子１ｓと受波用振動子２ｒとが互い違いにマトリクス状に配列されて構成されている。この場合、送波受波複合器３Ｂでは、送波器１，１を構成する送波用振動子１ｓの列数及び受波器２，２を構成する受波用振動子２ｒの列数に対応して上記マトリクスが構成されている。なお、送波器１，１が横方向、及び受波器２，２が縦方向に配置されているが、逆に配置されていても良い。
【００２０】
図２は、図１の音波測定センサ、及び交差箇所に振動子がない場合の指向性を示す図、図３は、シェーディングを施した場合の指向性を示す図、及び図４が、シェーディングを施した場合でビームシフト時の指向性を示す図である。
これらの図を参照して、この形態の音波測定センサの動作について説明する。
この音波測定センサでは、横方向に配置されている送波器１，１により、各送波用振動子１ｓに所定の駆動信号が与えられることにより、縦方向に送波ビームが形成されて送波される。また、縦方向に配置されている受波器２，２により、各受波用振動子２ｒに所定の駆動信号が与えられることにより、横方向に受波ビームが形成され、送波器１，１の送波ビームが目標物に到達して反射したときの反射波が受波される。この反射波がソーナなどで解析されて音響データが得られる。
【００２１】
この場合、周波数ｆ、振動子間距離ｄ、振動子の大きさｌ、及び振動子数ｎとして、送波ビームの垂直面の指向性を理論計算すると、図２に示す指向性となり、サイドローブが数ｄＢ抑制される。また、ある一定条件下で音波測定センサにシェーディングを施した場合の指向性計算を行うと、図３に示すように、サイドローブが５〜６ｄＢ程度抑制され、また、図４に示すように、シェーディングを施した場合でビームシフト時でも、同様に、サイドローブが５〜６ｄＢ程度抑制される。
【００２２】
以上のように、この第１の実施形態では、送波器１，１と受波器２，２との交差箇所が送波受波複合器３Ｂとして構成されているので、送波器１，１のサイドローブが抑制され、また、シェーディングを施した場合でも、同送波受波複合器３Ｂにより、サイドローブが抑制される。
【実施形態２】
【００２３】
図５は、この発明の第２の実施形態である音波測定センサの要部の構成を示す模式図である。
この形態の音波測定センサでは、同図５に示すように、第１の実施形態を示す図１中の送波器１，１及び受波器２，２に代えて、異なる構成の送波器１Ａ，１Ａ及び受波器２Ａ，２Ａが設けられている。送波器１Ａ，１Ａは、所定数の送波用振動子１ｓが直線状に１列配列されて構成されている。受波器２Ａ，２Ａは、所定数の受波用振動子２ｒが直線状に１列配列されて構成されている。また、送波器１Ａ，１Ａと受波器２Ａ，２Ａとの交差箇所は、図１中と同様の送波受波複合器３Ｂとして構成されている。
【００２４】
この音波測定センサでは、送波器１Ａ，１Ａを構成する送波用振動子１ｓの列数及び受波器２Ａ，２Ａを構成する受波用振動子２ｒの列数に対して無対応にマトリクスが構成されて図１の音波測定センサとほぼ同様の動作が行われ、同様の利点がある。
【実施形態３】
【００２５】
図６は、この発明の第３の実施形態である音波測定センサの要部の構成を示す模式図である。
この形態の音波測定センサでは、同図６に示すように、送波器１Ｂ，１Ｂと、受波器２Ｂ，２Ｂとを有し、これらが互いに直交するように配置されている。送波器１Ｂ，１Ｂは、所定数の送波用振動子１ｓが直線状に３列配列されて構成されている。受波器２Ｂ，２Ｂは、所定数の受波用振動子２ｒが直線状に３列配列されて構成されている。特に、この実施形態では、送波器１Ｂ，１Ｂと受波器２Ｂ，２Ｂとの交差箇所は、送波受波複合器３Ｃとして構成されている。
【００２６】
送波受波複合器３Ｃは、送波器１Ｂ，１Ｂを構成する送波用振動子１ｓの列数（３列）及び受波器２Ｂ，２Ｂを構成する受波用振動子２ｒの列数（３列）に対応してマトリクスが構成されている。この送波受波複合器３Ｃは、図１中の送波受波複合器３Ｂと同様に、各送波用振動子１ｓが送波器１Ｂ，１Ｂの長手方向に不欠落（すなわち、振動子間の距離が開かない）となるように配列され、かつ、各受波用振動子２ｒが受波器２Ｂ，２Ｂの長手方向に不欠落（すなわち、振動子間の距離が開かない）となるように配列されて構成されている。この音波測定センサでは、図１の音波測定センサとほぼ同様の動作が行われ、同様の利点がある。
【００２７】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、上記第３の実施形態では、送波受波複合器３Ｃの送波用振動子１ｓ及び受波用振動子２ｒが、市松パターン状に配列されていても良い（請求項３に対応）。また、送波器１，１Ａ，１Ｂを構成する送波用振動子１ｓの列数、及び受波器２，２Ａ，２Ｂを構成する受波用振動子２ｒの列数は、上記各実施形態に限定されない。
【産業上の利用可能性】
【００２８】
この発明は、クロスファンビーム方式を使用するソーナや音響測定装置で、送波器と受波器との交差箇所を送受波兼用としない場合に適用できる。
【符号の説明】
【００２９】
１，１Ａ，１Ｂ      送波器
２，２Ａ，２Ｂ      受波器
１ｓ      送波用振動子
２ｒ      受波用振動子
３Ｂ，３Ｃ      送波受波複合器
【図１】
0005493821.tif 000002
【図２】
0005493821.tif 000003
【図３】
0005493821.tif 000004
【図４】
0005493821.tif 000005
【図５】
0005493821.tif 000006
【図６】
0005493821.tif 000007
【図７】
0005493821.tif 000008
【図８】
0005493821.tif 000009
【図９】
0005493821.tif 000010
【図１０】
0005493821.tif 000011
【図１１】
0005493821.tif 000012